【手続補正書】
【提出日】平成20年9月17日(2008.9.17)
【手続補正１】
【補正対象書類名】明細書
【補正対象項目名】特許請求の範囲
【補正方法】変更
【補正の内容】
【特許請求の範囲】
【請求項１】  撮影毎に、撮影画像に対して所定の処理を行う画像処理パラメーターの値を、基準値と、該基準値に対する補正量で補正した補正値とに設定した複数回の撮影を、一度の撮影指示に基づいて行うオートブラケッティング撮影手段と、
前記オートブラケッティング撮影手段で撮影されたブラケッティング撮影画像と共に、該ブラケッティング撮影画像に対して処理された画像処理パラメーターに関する情報と、前記補正量に関する情報とを表示する表示手段と、
を有することを特徴とする電子カメラ。
【請求項２】  前記表示手段は、前記画像処理パラメーターの基準値を撮影者が設定する場合、画像処理パラメーターと共に前記基準値に関する情報を表示し、前記画像処理パラメーターの基準値をカメラが自動的に設定する場合、前記基準値を表示しないことを特徴とする請求項１記載の電子カメラ。
【請求項３】  前記表示手段は、前記画像処理パラメーターの基準値を撮影者が設定する場合、前記基準値に対し相対的な数値にて前記補正量に関する情報を表示することを特徴とする請求項１または２に記載の電子カメラ。
【請求項４】  前記表示手段は、前記画像処理パラメーターの基準値をカメラが自動的に設定する場合、前記補正量に関する情報において該補正量を表す数値を絶対値にて表示することを特徴とする請求項１または２に記載の電子カメラ。
【請求項５】  前記表示手段は、表示されるブラケッティング撮影画像が前記画像処理パラメーターの基準値に基づいて撮影された場合、前記補正量に関する情報を補正なしを示す情報で表示することを特徴とする請求項１乃至４のいずれか１項に記載の電子カメラ。
【請求項６】  前記画像処理パラメーターは、ホワイトバランス調整値であることを特徴とする請求項１乃至５のいずれか１項に記載の電子カメラ。
【請求項７】  前記画像処理パラメーターは、露出値であることを特徴とする請求項１乃至５のいずれか１項に記載の電子カメラ。
【請求項８】  撮影毎に、撮影画像に対して所定の処理を行う画像処理パラメーターの値を、基準値と、該基準値に対する補正量で補正した補正値とに設定した複数回の撮影を、一度の撮影指示に基づいて行うオートブラケッティング撮影を行うステップと、
前記オートブラケッティング撮影を行うステップで撮影されたブラケッティング撮影画像と共に、該ブラケッティング撮影画像に対して処理された画像処理パラメーターに関する情報と、前記補正量に関する情報とを表示するステップと、
を有することを特徴とする電子カメラの制御方法。
【請求項９】  請求項８記載の電子カメラの制御方法を実現する為のプログラムを格納したことを特徴とする記憶媒体。
【請求項１０】  撮影毎に、撮影に係る設定パラメーターを、基準値と、該基準値に対する補正量で補正した補正値とに設定した複数回の撮影を、一度の撮影指示に基づいて行うオートブラケッティング撮影手段と、
前記オートブラケッティング撮影手段で撮影されたブラケッティング撮影画像と共に、該ブラケッティング撮影画像を撮影した際の当該電子カメラの前記撮影に係る設定パラメーターに関する情報と、前記補正量に関する情報とを表示する表示手段とを有することを特徴とする電子カメラ。
【請求項１１】  前記表示手段は、前記撮影に係る設定パラメーターの基準値を撮影者が設定する場合、前記撮影に係る設定パラメーターと共に前記基準値に関する情報を表示し、前記撮影に係る設定パラメーターの基準値をカメラが自動的に設定する場合、前記基準値を表示しないことを特徴とする請求項１０記載の電子カメラ。
【請求項１２】  前記表示手段は、前記撮影に係る設定パラメーターの基準値を撮影者が設定する場合、前記基準値に対し相対的な数値にて前記補正量に関する情報を表示することを特徴とする請求項１０または１１に記載の電子カメラ。
【請求項１３】  撮影毎に、撮影に係る設定パラメーターを、基準値と、該基準値に対する補正量で補正した補正値とに設定した複数回の撮影を、一度の撮影指示に基づいて行うオートブラケッティング撮影を行うステップと、
前記オートブラケッティング撮影を行うステップで撮影されたブラケッティング撮影画像と共に、該ブラケッティング撮影画像を撮影した際の当該電子カメラの前記撮影に係る設定パラメーターに関する情報と、前記補正量に関する情報とを表示するステップを有することを特徴とする電子カメラの制御方法。
【請求項１４】
請求項１３記載の電子カメラの制御方法を実現する為のプログラムを格納したことを特徴とする記憶媒体。
【請求項１５】  撮影毎に、撮影に係る設定パラメーターを、基準値と、該基準値に対する補正量で補正した補正値とに設定した複数回の撮影を、一度の撮影指示に基づいて行うオートブラケッティング撮影モードで撮影されたブラケッティング撮影画像を読み出す読み出し手段と、
前記読み出し手段で読み出した前記ブラケッティング撮影画像と共に、該ブラケッティング撮影画像を撮影した際の電子カメラの前記撮影に係る設定パラメーターに関する情報と、前記補正量に関する情報とを表示するように制御する表示制御手段とを有することを特徴とする表示制御装置。
【請求項１６】  前記表示手段は、前記撮影に係る設定パラメーターの基準値を撮影者が設定する場合、前記撮影に係る設定パラメーターと共に前記基準値に関する情報を表示し、前記撮影に係る設定パラメーターの基準値をカメラが自動的に設定する場合、前記基準値を表示しないことを特徴とする請求項１５記載の表示制御装置。
【請求項１７】  前記表示手段は、前記撮影に係る設定パラメーターの基準値を撮影者が設定する場合、前記基準値に対し相対的な数値にて前記補正量に関する情報を表示することを特徴とする請求項１５または１６に記載の表示制御装置。
【請求項１８】  撮影毎に、撮影に係る設定パラメーターを、基準値と、該基準値に対する補正量で補正した補正値とに設定した複数回の撮影を、一度の撮影指示に基づいて行うオートブラケッティング撮影モードで撮影されたブラケッティング撮影画像を読み出すステップと、
前記読み出しステップで読み出した前記ブラケッティング撮影画像と共に、該ブラケッティング撮影画像を撮影した際の電子カメラの前記撮影に係る設定パラメーターに関する情報と、前記補正量に関する情報とを表示するように制御するステップとを有することを特徴とする表示制御方法。
【請求項１９】  請求項１８記載の表示制御方法を実現する為のプログラムを格納したことを特徴とする記憶媒体。
【手続補正２】
【補正対象書類名】明細書
【補正対象項目名】００１５
【補正方法】変更
【補正の内容】
【００１５】
（１）撮影毎に、撮影画像に対して所定の処理を行う画像処理パラメーターの値を、基準値と、該基準値に対する補正量で補正した補正値とに設定した複数回の撮影を、一度の撮影指示に基づいて行うオートブラケッティング撮影手段と、前記オートブラケッティング撮影手段で撮影されたブラケッティング撮影画像と共に、該ブラケッティング撮影画像に対して処理された画像処理パラメーターに関する情報と、前記補正量に関する情報とを表示する表示手段と、を有することを特徴とする電子カメラ。
（２）前記表示手段は、前記画像処理パラメーターの基準値を撮影者が設定する場合、画像処理パラメーターと共に前記基準値に関する情報を表示し、前記画像処理パラメーターの基準値をカメラが自動的に設定する場合、前記基準値を表示しないことを特徴とする前記（１）記載の電子カメラ。
（３）前記表示手段は、前記画像処理パラメーターの基準値を撮影者が設定する場合、前記基準値に対し相対的な数値にて前記補正量に関する情報を表示することを特徴とする前記（１）または（２）に記載の電子カメラ。
（４）前記表示手段は、前記画像処理パラメーターの基準値をカメラが自動的に設定する場合、前記補正量に関する情報において該補正量を表す数値を絶対値にて表示することを特徴とする前記（１）または（２）に記載の電子カメラ。
（５）前記表示手段は、表示されるブラケッティング撮影画像が前記画像処理パラメーターの基準値に基づいて撮影された場合、前記補正量に関する情報を補正なしを示す情報で表示することを特徴とする前記（１）乃至（４）のいずれか１項に記載の電子カメラ。
（６）前記画像処理パラメーターは、ホワイトバランス調整値であることを特徴とする前記（１）乃至（５）のいずれか１項に記載の電子カメラ。
（７）前記画像処理パラメーターは、露出値であることを特徴とする前記（１）乃至（５）のいずれか１項に記載の電子カメラ。
（８）撮影毎に、撮影画像に対して所定の処理を行う画像処理パラメーターの値を、基準値と、該基準値に対する補正量で補正した補正値とに設定した複数回の撮影を、一度の撮影指示に基づいて行うオートブラケッティング撮影を行うステップと、
前記オートブラケッティング撮影を行うステップで撮影されたブラケッティング撮影画像と共に、該ブラケッティング撮影画像に対して処理された画像処理パラメーターに関する情報と、前記補正量に関する情報とを表示するステップと、を有することを特徴とする電子カメラの制御方法。
（９）前記（８）記載の電子カメラの制御方法を実現する為のプログラムを格納したことを特徴とする記憶媒体。
（１０）撮影毎に、撮影に係る設定パラメーターを、基準値と、該基準値に対する補正量で補正した補正値とに設定した複数回の撮影を、一度の撮影指示に基づいて行うオートブラケッティング撮影手段と、前記オートブラケッティング撮影手段で撮影されたブラケッティング撮影画像と共に、該ブラケッティング撮影画像を撮影した際の当該電子カメラの前記撮影に係る設定パラメーターに関する情報と、前記補正量に関する情報とを表示する表示手段とを有することを特徴とする電子カメラ。
（１１）前記表示手段は、前記撮影に係る設定パラメーターの基準値を撮影者が設定する場合、前記撮影に係る設定パラメーターと共に前記基準値に関する情報を表示し、前記撮影に係る設定パラメーターの基準値をカメラが自動的に設定する場合、前記基準値を表示しないことを特徴とする前記（１０）記載の電子カメラ。
（１２）前記表示手段は、前記撮影に係る設定パラメーターの基準値を撮影者が設定する場合、前記基準値に対し相対的な数値にて前記補正量に関する情報を表示することを特徴とする前記（１０）または（１１）に記載の電子カメラ。
（１３）撮影毎に、撮影に係る設定パラメーターを、基準値と、該基準値に対する補正量で補正した補正値とに設定した複数回の撮影を、一度の撮影指示に基づいて行うオートブラケッティング撮影を行うステップと、前記オートブラケッティング撮影を行うステップで撮影されたブラケッティング撮影画像と共に、該ブラケッティング撮影画像を撮影した際の当該電子カメラの前記撮影に係る設定パラメーターに関する情報と、前記補正量に関する情報とを表示するステップを有することを特徴とする電子カメラの制御方法。
（１４）前記（１３）記載の電子カメラの制御方法を実現する為のプログラムを格納したことを特徴とする記憶媒体。
（１５）撮影毎に、撮影に係る設定パラメーターを、基準値と、該基準値に対する補正量で補正した補正値とに設定した複数回の撮影を、一度の撮影指示に基づいて行うオートブラケッティング撮影モードで撮影されたブラケッティング撮影画像を読み出す読み出し手段と、前記読み出し手段で読み出した前記ブラケッティング撮影画像と共に、該ブラケッティング撮影画像を撮影した際の電子カメラの前記撮影に係る設定パラメーターに関する情報と、前記補正量に関する情報とを表示するように制御する表示制御手段とを有することを特徴とする表示制御装置。
（１６）前記表示手段は、前記撮影に係る設定パラメーターの基準値を撮影者が設定する場合、前記撮影に係る設定パラメーターと共に前記基準値に関する情報を表示し、前記撮影に係る設定パラメーターの基準値をカメラが自動的に設定する場合、前記基準値を表示しないことを特徴とする前記（１５）記載の表示制御装置。
（１７）前記表示手段は、前記撮影に係る設定パラメーターの基準値を撮影者が設定する場合、前記基準値に対し相対的な数値にて前記補正量に関する情報を表示することを特徴とする前記（１５）または（１６）に記載の表示制御装置。
（１８）撮影毎に、撮影に係る設定パラメーターを、基準値と、該基準値に対する補正量で補正した補正値とに設定した複数回の撮影を、一度の撮影指示に基づいて行うオートブラケッティング撮影モードで撮影されたブラケッティング撮影画像を読み出すステップと、前記読み出しステップで読み出した前記ブラケッティング撮影画像と共に、該ブラケッティング撮影画像を撮影した際の電子カメラの前記撮影に係る設定パラメーターに関する情報と、前記補正量に関する情報とを表示するように制御するステップとを有することを特徴とする表示制御方法。
（１９）前記（１８）記載の表示制御方法を実現する為のプログラムを格納したことを特徴とする記憶媒体。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】削除
【補正の内容】
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】